(57)【要約】【課題】光ディスクのチャッキングホールに挿入する記録媒体係止部の複数のリブ（係止爪）をスリッパ等により押し広げることなく確実に保持する。【解決手段】記録媒体収納ケース１は、光ディスク１０１の中央に設けたチャッキングホール１０２に挿入する複数のリブからなる記録媒体係止部１２を備えたケース本体部２と、ケース本体部２を開閉する蓋部３を備えている。記録媒体係止部１２を構成するリブを、チャッキングホール１０２の内周面に摩擦係合部５２が摩擦係合して光ディスク１０１を保持する複数のクランプ用のリブ１２ａ，１２ｃ，１２ｅと、これらクランプ用のリブの間に配置されていて光ディスク１０１の主面側にのみ接触して前記クランプ用のリブから脱落する方向への光ディスク１０１の移動を規制する抜け防止部６１を備えた複数の抜け防止用のリブ１２ｂ，１２ｄ，１２ｆと、で構成する。【選択図】図１
2004175400.tif 000002
【特許請求の範囲】
【請求項１】
記録媒体の中央に設けたチャッキングホールに挿入する複数のリブからなる円筒状の記録媒体係止部を備えたケース本体部と、該ケース本体部を開閉する蓋部を備えた記録媒体収納ケースにおいて、
記録媒体係止部は、記録媒体のチャッキングホールの内周面に接触して記録媒体をチャッキングホールの内周面側から保持する複数のクランプ用のリブと、クランプ用のリブの間に配置されていて記録媒体の主面側に接触して前記クランプ用のリブから脱落する方向への前記記録媒体の移動を規制する複数の抜け防止用のリブと、で構成され、
前記クランプ用のリブは、前記チャッキングホールの内径より小径の円周上に外側面が配置されていて、該外側面に挿入された記録媒体のチャッキングホールの内周面に摩擦係合する摩擦係合部を備え、
前記抜け防止用のリブは、前記チャッキングホールの内径より小径の円周上に外側面が配置されていて、該外側面の先端部には記録媒体が抜け出る方向に移動したときに記録媒体の主面に当接する抜け防止部を備えている
ことを特徴とする記録媒体収納ケース。
【請求項２】
前記抜け防止用のリブの外側面は、前記チャッキングホールの内周面に対して非接触状態に保たれている
ことを特徴とする請求項１に記載の記録媒体収納ケース。
【請求項３】
前記抜け防止用のリブの抜け防止部は、チャッキングホールへの挿入時に該チャッキングホールの下端周縁部で押圧されて抜け防止用のリブを内周側に逃がす傾斜面と、チャッキングホールからの抜去時に該チャッキングホールの上端周縁部で押圧されて抜け防止用のリブを内周側に逃がす傾斜面と、を備えていている
ことを特徴とする請求項２に記載の記録媒体収納ケース。
【請求項４】
前記摩擦係合部は、前記クランプ用のリブの外側面に円弧状に形成されている
ことを特徴とする請求項２に記載の記録媒体収納ケース。
【発明の詳細な説明】
【０００１】
【発明の属する技術分野】
本発明は、記録媒体の中央に設けたチャッキングホールに、複数のリブからなる円筒状の記録媒体係止部を挿入して、該記録媒体係止部により記録媒体を中央のチャッキングホール側から保持するようにした記録媒体収納ケースに関する。
【０００２】
【従来の技術】
記録媒体係止部により記録媒体の中央に設けたチャッキングホールを保持するようにした記録媒体収納ケースとして、例えば、図１０に示すように、コンパクトディスク（ＣＤ）に代表されるディスク状記録媒体である光ディスク１０１を収納する光ディスク収納ケース２０１が知られている。前記光ディスク収納ケース２０１は、光ディスク２を収納するトレー部２０２と、このトレー部２０２を収納するケース本体部２０３と、このケース本体部２０３にトレー部２０２を収納して閉蓋するケース蓋部２０４とからなっている。
【０００３】
ケース蓋部２０４は、端部両側の互いに向かい合っている支軸２０５，２０６によってケース本体部２０３に取り付けられていて、支軸２０５，２０６を中心にしてケース蓋部２０４を回動させることにより開閉自在になっている。トレー部２０２は、光ディスク１０１が収納できる面積に陥没した凹面部２０７を備えていて、該凹面部２０７の中心位置には円筒状の記録媒体係止部２０８が設けられている。
【０００４】
そして、凹面部２０７に光ディスク１０１を載置すると、光ディスク１０１のチャッキングホール１０２に記録媒体係止部２０８が侵入して、光ディスク１０１をその中心のチャッキングホール１０２側から保持するようになっている。
【０００５】
記録媒体係止部２０８は、図１１に拡大して示したように、光ディスク１０１が収納される凹面部２０７より一段高く形成された台座部２０９上に、それぞれが独立した複数のリブ（係止爪）２１０…２１０を、光ディスク１０１のチャッキングホール１０２の内径よりもやや大径の円周上に起立させることにより形成されていて、複数のリブ（係止爪）２１０…２１０の弾性を利用することにより光ディスク１０１を保持する構成になっている。
【０００６】
ところで、前記光ディスク収納ケース２０１は、複数のリブ（係止爪）２１０…２１０の弾性を利用して光ディスク１０１を保持する構成になっているために、複数のリブ（係止爪）２１０…２１０による光ディスク保持力に限界があり、また、長期間使用していると弾性が衰えて、光ディスク保持力が低下してしまうという欠点がある。
【０００７】
そこで、円筒状の記録媒体係止部２０８の内部において回動するストッパーを設け、該ストッパーに設けた腕で記録媒体係止部２０８のリブ（係止爪）２１０…２１０を押し広げて光ディスク１０１を確実に保持することができるようにした光ディスク収納ケースが開発されている。（例えば特許文献１参照）。
【０００８】
また、ケース蓋部の内面に、前記リブ（係止爪）２１０…２１０を押し広げるリブ押し広げ部材を設け、ケース蓋部を閉じると、前記リブ押し広げ部材が前記リブ（係止爪）２１０…２１０を押し広げて光ディスク１０１を確実に保持することができるようにした光ディスク収納ケースが開発されている。（例えば特許文献２参照）。
【０００９】
【特許文献１】
実開平５−８１０８９号公報（実用新案登録請求の範囲、段落０００２、段落０００４、段落０００９〜００１１、図１、図２、図３、図５）
【００１０】
【特許文献２】
特開平９−２１６６７７号公報（特許請求の範囲、段落０００９〜００１１、図４、図５）
【００１１】
【発明が解決しようとする課題】
ところで、特許文献１と特許文献２の光ディスク収納ケースには、次に述べるような問題点がある。
（１）特許文献１の光ディスク収納ケースは、円筒状の記録媒体係止部２０８の内部において回動するストッパーを使用し、これを回動させてストッパーに設けた腕で記録媒体係止部２０８のリブ（係止爪）２１０…２１０を押し広げて光ディスク１０１を保持するものであって、ストッパーを使用するために、部品点数が増えると共に、構造が複雑になってコストが高くなる。また、いちいちストッパーを回動させなければならないため操作性が悪い。
（２）特許文献２の光ディスク収納ケースは、ケース蓋部を閉じたときに、リブ押し広げ部材でリブ（係止爪）２１０…２１０を押し広げて光ディスク１０１を確実に保持することができるが、ケース蓋部を開くと、リブ押し広げ部材によるリブ（係止爪）２１０…２１０を押し広げは解除されてしまう。
【００１２】
そこで本発明は、特許文献１のようなストッパーを使用することなく、また、ケース蓋部を開いた状態においても、光ディスクを確実に保持することができるディスク収納ケースを提供することを目的になされたものである。
【００１３】
【課題を解決するための手段】
請求項１の発明は、記録媒体の中央に設けたチャッキングホールに挿入する略円筒状の記録媒体係止部を備えたケース本体部と、該ケース本体部を開閉する蓋部を備えた記録媒体収納ケースにおいて、
記録媒体係止部を、記録媒体のチャッキングホールの内周面に接触して記録媒体をチャッキングホールの内周面側から保持する複数のクランプ用のリブと、クランプ用のリブの間に配置されていて記録媒体の主面側に接触して前記クランプ用のリブから脱落する方向への記録媒体の移動を規制する複数の抜け防止用のリブと、で構成し、前記クランプ用のリブは、前記チャッキングホールの内径より小径の円周上に外側面が配置されていて、該外側面に前記チャッキングホールの内周面に摩擦係合する摩擦係合部を備え、前記抜け防止用のリブは、前記チャッキングホールの内径より小径の円周上に外側面が配置されていて、該外側面の先端部には記録媒体が抜け出る方向に移動したときに記録媒体の主面に当接する抜け防止部を備えていて、
記録媒体のチャッキングホールに記録媒体係止部を挿入すると前記複数のクランプ用のリブに設けた摩擦係合部がチャッキングホールの内周面に摩擦係合して記録媒体をチャッキングホールの内周面側から保持し、記録媒体が前記クランプ用のリブから抜け出る方向へ移動しようとすると前記抜け防止用のリブに設けた抜け防止部が記録媒体の主面側に当設して記録媒体が容易に抜け落ちるのを防止した。
【００１４】
請求項２の発明は、請求項１の記録媒体収納ケースにおいて、
前記抜け防止用のリブの外側面を、前記チャッキングホールの内周面に対して非接触状態に保ち、記録媒体の挿抜時にのみ、抜け防止用のリブを撓ませることにより、
抜け防止用のリブが所謂疲労により弾性を喪失するのを防止した。
【００１５】
請求項３の発明は、請求項１の記録媒体収納ケースにおいて、
前記抜け防止用のリブの抜け防止部の上、下端部に、チャッキングホールへの挿入、抜去時に該チャッキングホールの上，下端周縁部で押圧されて抜け防止用のリブを内周側に逃がす傾斜面を設けることにより、
前記抜け防止用のリブは、前記抜け防止部の上端部に設けた傾斜面がチャッキングホールの下端周縁部で押圧され、内周側に撓み所謂逃げ移動してチャッキングホールへ挿入され、また、記録媒体の取出時には、前記抜け防止部の下端部に設けた傾斜面がチャッキングホールの上端周縁部で押圧され、抜け防止用のリブは、内周側に逃げ移動してチャッキングホールから抜け出る。
【００１６】
請求項４の発明は、請求項１の記録媒体収納ケースにおいて、
前記摩擦係合部を、円弧状に形成することにより、
摩擦係合部とチャッキングホール内周面とを点接触にして、チャッキングホールへの記録媒体係止部の挿抜を容易に行なうことができるようにした。
【００１７】
【発明の実施の形態】
第１の実施の形態
図１は記録媒体収納ケースの蓋を開いている状態の斜視図、図２は記録媒体収納ケースの蓋を閉じている状態の斜視図、図３は記録媒体係止部の拡大斜視図、図４は記録媒体係止部の平面図、図５は図４のＡ−Ａ断面図、図６はクランプ用のリブ部分の拡大断面図、図７はクランプ用のリブ部分の平面図、図８は抜け防止用のリブの拡大断面図、図９は摩擦係合部の他の実施例の断面図である。
【００１８】
図１に示したように、記録媒体収納ケース１は、トレーを兼ねたケース本体部２と、蓋部３とで構成されている。図２に示したように、記録媒体収納ケース１は、蓋部３を閉じた状態においては薄形矩形状の箱体になる。
【００１９】
前記ケース本体部２と蓋部３は、ポリスチレン（ＰＳ，ＧＰ−ＰＳ）、ハイインパクトポリスチレン（ＨＩ−ＰＳ）、アクリルスチロール（ＡＳ）、アクリルブチレンスチロール（ＡＢＳ）、ポリプロピレン（ＰＰ）、ポリエチレン（ＰＥ）、ポリカーボネート（ＰＣ）等の熱可塑性合成樹脂を射出成形することにより製造される。
【００２０】
図１、図２に示すように、蓋部３は、一対の支持軸４，５によってケース本体部２に回動開閉可能に取り付けられている。
【００２１】
ケース本体部２は、内面の中央部に台座部１１を備えていると共に、前記台座部１１の中央部に、記録媒体としての光ディスク１０１の中央に設けたチャッキングホール１０２に挿入する円筒状の記録媒体係止部１２を備えている。また、前記台座部１１の外周部に、光ディスク１０１を収容する光ディスク収納部１３を構成する複数の円弧状壁１４…１４を備えている。
【００２２】
前記複数の円弧状壁１４…１４は、光ディスク１０１の寸法精度や熱膨張による拡径等を考慮すると共に、ケース本体部２及び／又は蓋部３に外力が加わって、これらケース本体部２及び／又は蓋部３が変形したような場合でも、光ディスク１０１の外周面が接触することのない大きさに形成されている。
【００２３】
ケース本体部２は、前面端部側を除く他の３辺に後部壁２１及び左右一対の側壁２２，２３を備えている。また、蓋部３は、後面端部側を除く他の３辺に前部壁３１及び左右一対の側壁３２，３３を備えている。ケース本体部２に対して蓋部３を閉じた状態にすると、ケース本体部２の左右一対の側壁２２，２３の内面に、蓋部３の左右一対の側壁３２，３３の外面が重なり合う。そして、ケース本体部２の後部壁２１及び左右一対の側壁２２，２３と、前記蓋部３の前部壁３１及び左右一対の側壁３２，３３によって、記録媒体収納ケース１の前後、左右の側壁が形成される。
【００２４】
ケース本体部２の左右一対の側壁２２，２３の内面と、蓋部３の左右一対の側壁３２，３３の外面には、閉蓋状態において互いに係合する凹，凸部４１，４２が設けられていて、閉蓋状態を維持するようになっている。蓋部３の略中央部には指掛け用の凹部４３が設けられていて、この指掛け用の凹部４３に指先等を掛けて蓋部３を開くことができるようになっている。
【００２５】
記録媒体係止部１２は、第１から第６までの６個のリブ１２ａ〜１２ｆで略円筒状に構成されている。図４に示すように、前記第１から第６までの６個のリブ１２ａ〜１２ｆは、２点鎖線で示すチャッキングホール１０２の内径Ｃ１よりも小径の円周上に外側面１２ｇが配置された円弧状の第１，第３，第５のリブ（以下、クランプ用のリブと称する）１２ａ，１２ｃ，１２ｅと、これらクランプ用のリブ１２ａ，１２ｃ，１２ｅの間においてチャッキングホール１０２の内径Ｃ１より小径の円周上に外側面１２ｈが配置された円弧状の第２，第４，第６のリブ（以下、抜け防止用のリブと称する）１２ｂ，１２ｄ，１２ｆに分けられている。
【００２６】
前記クランプ用のリブ１２ａ，１２ｃ，１２ｅの周方向の長さＬ１は、前記抜け防止用のリブ１２ｂ，１２ｄ，１２ｆの周方向の長さＬ２よりも長く形成されている。
【００２７】
図５に示したように、前記クランプ用のリブ１２ａ，１２ｃ，１２ｅの肉厚Ｔ１は、前記抜け防止用のリブ１２ｂ，１２ｄ，１２ｆの肉厚Ｔ２よりも厚肉に形成されている。
【００２８】
前記クランプ用のリブ１２ａ，１２ｃ，１２ｅは、外側面１２ｇの上端部に記録媒体呼び込み用の傾斜面（面取部）５１と、該傾斜面５１の下部に前記チャッキングホール１０２の内周面に摩擦係合する摩擦係合部５２を備えている。
【００２９】
図６および図７に示すように、前記摩擦係合部５２は、軸方向および周方向に円弧状に、換言すれば湾曲面状に形成されていて、チャッキングホール１０２の内周面との点接触するようになっている。
【００３０】
図８に示すように、前記抜け防止用のリブ１２ｂ，１２ｄ，１２ｆは、外側面１２ｈ側の先端部に光ディスク１０１が抜け出る方向に移動したときに該光ディスク１０１の主面１０１ａに当接する抜け防止部６１を備えている。
【００３１】
前記抜け防止部６１は、上端部側にチャッキングホール１０２への挿入時に該チャッキングホール１０２の下端周縁部１０３で押圧されて抜け防止用のリブ１２ｂ，１２ｄ，１２ｆを内周側に逃げ移動させる傾斜面６２を備え、下端部側にチャッキングホール１０２の抜去時に該チャッキングホール１０２の上端周縁部１０４で押圧されて抜け防止用のリブ１２ｂ，１２ｄ，１２ｆを内周側に逃げ移動させる傾斜面６３と、を備えていている。
【００３２】
前記抜け防止用のリブ１２ｂ，１２ｄ，１２ｆの根元部の周囲には、薄肉部７１が設けられている。薄肉部７１は、前記根元部の周囲を凹ませて凹部７２を設けることにより形成されている。前記前記クランプ用のリブ１２ａ，１２ｃ，１２ｅのつけ根部および抜け防止用のリブ１２ｂ，１２ｄ，１２ｆのつけ根部分には、アール状または傾斜状の拡幅部７３が設けられていて、ケース本体部２の底面との結合強度を向上させるようになっている。
【００３３】
なお、実施例では、記録媒体係止部１２をそれぞれ３個づつのクランプ用のリブ及び位置決め用のリブで構成した場合を示したが、クランプ用のリブ及び抜け防止用のリブの数は、２個づつでも４個づつでもよく、その数は本発明の目的を達成するのに適正な数であればよい。また、クランプ用のリブと抜け防止用のリブの数は、いずれか一方が偶数で他方が奇数であってもよい。また、記録媒体係止部１２は、蓋部３側に設けてもよい。なお、円筒状の記録媒体係止部１２の内周には、蓋部３を内側から支える中空状の蓋支え部８１が設けられている。蓋支え部６１を中空に形成したのは、蓋支え部８１を中実に形成すると樹脂成型時に所謂ヒケが生じて、ケース本体部２の外観を損なうのを防ぐためであり、蓋支え部８１は中実であってもよい。
【００３４】
次に、前記記録媒体収納ケース１の作用について説明する。
【００３５】
記録媒体収納ケース１の使用に際しては、先ず蓋部３を開いて光ディスク１０１の中央に設けたチャッキングホール１０２にケース本体部２の中央部に設けた記録媒体係止部１２を挿入する。
【００３６】
チャッキングホール１０２へ記録媒体係止部１２を挿入すると、チャッキングホール１０２の下端周縁部１０３で、前記抜け防止用のリブ１２ｂ，１２ｄ，１２ｆに設けた抜け防止部６１の上端部側の傾斜面６２が押圧されて抜け防止用のリブ１２ｂ，１２ｄ，１２ｆは、内周側に逃げ移動する。
【００３７】
一方、前記クランプ用のリブ１２ａ，１２ｃ，１２ｅの外側面１２ｇは、チャッキングホール１０２の内径Ｃ１よりも小径の円周位置に形成され、かつ上端部に記録媒体呼び込み用の傾斜面５１が形成されているので、これらクランプ用のリブ１２ａ，１２ｃ，１２ｅの先端部は、円滑にチャッキングホール１０２内に挿入される。
【００３８】
記録媒体係止部１２が更に挿入されると、前記クランプ用のリブ１２ａ，１２ｃ，１２ｅの外側面１２ｇに設けた摩擦係合部５２は、チャッキングホール１０２の内周面に摩擦係合して、光ディスク１０１をチャッキングホール１０２の内周面側から保持する。
【００３９】
前記摩擦係合部５２によって光ディスク１０１が完全に保持された状態になると、前記抜け防止用のリブ１２ｂ，１２ｄ，１２ｆは、チャッキングホール１０２の下端周縁部による傾斜面６２の押圧を解除されて元の位置に復帰し、抜け防止部６１が光ディスク１０１の主面（上面）１０１ａ側に当接して、光ディスク１０１が記録媒体係止部１２から抜け落ちるのを防止する。このとき、図８に示すように、抜け防止用のリブ１２ｂ，１２ｄ，１２ｆの外側面１２ｈと光ディスク１０１をチャッキングホール１０２の内周面との間には、隙間Ｇが設定され、両者は非接触状態になっている。
【００４０】
また、記録媒体係止部１２から光ディスク１０１を抜き取る際には、前記抜け防止部６１の下端部に設けた傾斜面６３がチャッキングホール１０２の上端周縁部１０４で押圧され、前記抜け防止用のリブ１２ｂ，１２ｄ，１２ｆは、内周側に逃げ移動して光ディスク１０１を記録媒体係止部１２から抜き取ることを可能にするのである。なお、前記実施例では、前記摩擦係合部５２を、湾曲面状に形成して、チャッキングホール１０２の内周面と点接触するようにした場合を示したが、図９に示すように、前記摩擦係合部５２を、傾斜面５３と、該傾斜面５３に連続し前記外側面１２ｇと略平行なフラット面５４と、で構成して、前記フラット面５４をチャッキングホール１０２の内周面に線接触或いは面接触させる構成にしてもよい。
【００４１】
【発明の効果】
本発明の記録媒体収納ケースには、次に述べような効果がある。
（１）請求項１の記録媒体収納ケースは、記録媒体のチャッキングホールに記録媒体係止部を挿入すると前記複数のクランプ用のリブに設けた摩擦係合部がチャッキングホールの内周面に摩擦係合して記録媒体をチャッキングホールの内周面側から保持し、記録媒体が前記クランプ用のリブから抜け出る方向へ移動しようとすると前記抜け防止用のリブに設けた抜け防止部が記録媒体の主面側に当設して記録媒体が容易に抜け落ちるのを防止する。
（２）請求項２の記録媒体収納ケースは、抜け防止用のリブの外側面を、前記チャッキングホールの内周面に対して非接触状態に保つことにより、抜け防止用のリブが所謂疲労により弾性を喪失するのを防止することができる。
（３）請求項３の記録媒体収納ケースは、前記抜け防止部の上端部に設けた傾斜面がチャッキングホールの下端周縁部で押圧されて抜け防止用のリブが内周側に撓み所謂逃げ移動してチャッキングホールへ挿入される。また、記録媒体の取出時には、前記抜け防止部の下端部に設けた傾斜面がチャッキングホールの上端周縁部で押圧され、抜け防止用のリブは、内周側に逃げ移動してチャッキングホールから抜け出る。
（４）請求項４の記録媒体収納ケースは、摩擦係合部とチャッキングホール内周面との点接触して、チャッキングホールへの記録媒体係止部の挿抜を容易に行なうことができる。
【図面の簡単な説明】
【図１】記録媒体収納ケースの蓋が開かれている状態の斜視図。
【図２】記録媒体収納ケースの蓋が閉じられている状態の斜視図。
【図３】記録媒体係止部の拡大斜視図。
【図４】記録媒体係止部の拡大平面図。
【図５】図４のＡ−Ａ断面図。
【図６】クランプ用のリブ部分の断面図。
【図７】クランプ用のリブ部分の平面図。
【図８】抜け防止用のリブ部分の断面図。
【図９】摩擦係合部の他の実施例の断面図。
【図１０】従来の記録媒体収納ケースの蓋が開かれている状態の斜視図。
【図１１】記録媒体係止部の拡大斜視図。
【符号の説明】
１…記録媒体収納ケース、２…ケース本体部、３…蓋部、１２…記録媒体係止部、１２ａ，１２ｃ，１２ｅ…クランプ用のリブ、１２ｂ，１２ｄ，１２ｆ…抜け防止用のリブ、５１…記録媒体呼び込み用の傾斜面、５２…摩擦係合部、６１…抜け防止部、６２…下端側の傾斜面、６３…上端側の傾斜面、１２…記録媒体係止部、１０１…光ディスク、１０２…チャッキングホール。
【図１】
2004175400.tif 000003
【図２】
2004175400.tif 000004
【図３】
2004175400.tif 000005
【図４】
2004175400.tif 000006
【図５】
2004175400.tif 000007
【図６】
2004175400.tif 000008
【図７】
2004175400.tif 000009
【図８】
2004175400.tif 000010
【図９】
2004175400.tif 000011
【図１０】
2004175400.tif 000012
【図１１】
2004175400.tif 000013